(57)【要約】【課題】一枚のシートから手組で、簡単に組立のできる陳列ケース兼用の包装ケースを提供するもので、果実などの安定性の悪い物品の輸送に好適な箱を提供するものである。【解決手段】一枚の紙シートを材料とし、底板の四辺にそれぞれ折線を介して前側板、後側板及び左右妻板を連接すると共に前記左右妻板の延長上にそれぞれ折線を介して内妻板を延設し、その両側縁と前後側板の両側縁に折込フラップを設け、一方前側板の延長上にそれぞれ折線を介して内側板を延設し、また後側板の延長上にそれぞれ折線を介して接続板と商品保持部を有する中底板を順に連接し、さらにまた中底板は底板とほぼ同じ大きさとし、接続板は高さを前後側板よりも低くして、中底板の３辺に支持脚を設ける。【選択図】      図５
2005022661.tif 000002
【特許請求の範囲】
【請求項１】
底板の四辺にそれぞれ折線を介して前側板、後側板及び左右妻板を連接すると共に前記左右妻板の延長上にそれぞれ折線を介して内妻板を延設し、その両側縁と前後側板の両側縁に折込フラップを設け、一方前側板の延長上にそれぞれ折線を介して内側板を延設し、また後側板の延長上にそれぞれ折線を介して接続板と商品保持部を有する中底板を順に連接し、さらにまた中底板は底板とほぼ同じ大きさとし、接続板は高さを前後側板よりも低くして、中底板の３辺に支持脚を設けたことを特徴とするディスプレイ兼用包装箱。
【請求項２】
前側板、後側板及び左右妻板の内側に、それぞれ折線を介して内側板、接続板、内妻板を重合させ、折込フラップを介して前記の前側板、後側板及び左右妻板を互いに係止せしめて箱の四側壁を全て２重壁とした請求項１に記載のディスプレイ兼用包装箱。
【請求項３】
内側板及びこれと対向する接続板に、それぞれ前側板、後側板と連接する折線沿いにコの字型の切断線を形成して前後側板の上縁に凸片を設けることを特徴とする請求項１又は２のいずれかに記載のディスプレイ兼用包装箱。
【請求項４】
底板には前側板との折線沿いに係止溝を開設し、内側板の先端には前記係止溝に対応する係止突起を突設して両者を係合することを特徴とする請求項１〜３のいずれか１項に記載のディスプレイ兼用包装箱。
【請求項５】
商品保持部に商品固定用凹部又は穴を１又は複数設けたことを特徴とする請求項１〜４のいずれか１項に記載のディスプレイ兼用包装箱。
【発明の詳細な説明】
【０００１】
【発明の属する技術分野】
本発明は、ディスプレイ兼用輸送箱に関するものであり、例えばリンゴ、ナシ、アボガド等の商品を多数個輸送、保管するに好適で、かつ店頭で内部の商品を露出して見栄えよく陳列できる箱、又は贈答箱としても利用できる箱に関するものである。
【０００２】
【従来の技術】
店頭に陳列して販売される商品にあっては、店頭での販売単位がケース以下の場合にあってはこれらの商品を陳列棚に並べ、又は別の化粧箱に入れ、さらにその化粧箱を輸送時における必要な強度をもった外箱に収容した状態で、保管あるいは輸送がなされている。
例えば、リンゴ、ナシ、アボガドなどの果実類等は、段ボール箱に多数個充填して梱包したうえ輸送・保管されている。梱包の際、輸送中の外からの振動あるいは商品のガタツキにより変形したり、傷んだりしないよう箱の内部に商品固定のための保持部材を配置していた。この保持部材の多くは、化粧箱あるいは外箱と別部品として製作されて商品包装時点で箱に詰め込み使用するが、使用時間は短く、その大部分は店頭に商品を並べ展示陳列する時点で廃棄されるものであり、不経済であった。
【０００３】
さらに陳列用箱とは別に、輸送または保管箱も用意しなければならず、包装資材の無駄が多かった。
【０００４】
【発明が解決しようとする課題】
このようなことから、本発明は、商品固定部材と輸送箱とを別途に製作することなく、両者を一枚のシートから形成することができ、しかも手作業で容易に組立てることを可能とし、さらに輸送用外箱を店頭で商品を露出して陳列できるケースとし、あるいは贈答箱として利用できるディスプレイ兼用輸送箱を提供することを目的とする。
【０００５】
【課題を解決するための手段】
上記課題を解決するため、本発明ディスプレイ兼用包装箱は次のような構成を採用した。
（１）底板の四辺にそれぞれ折線を介して前側板、後側板及び左右妻板を連接すると共に前記左右妻板の延長上にそれぞれ折線を介して内妻板を延設し、その両側縁と前後側板の両側縁に折込フラップを設け、一方前側板の延長上にそれぞれ折線を介して内側板を延設し、また後側板の延長上にそれぞれ折線を介して接続板と商品保持部を有する中底板を順に連接し、さらにまた中底板は底板とほぼ同じ大きさとし、接続板は高さを前後側板よりも低くして、中底板の３辺に支持脚を設けたことを特徴とする。
（２）前側板、後側板及び左右妻板の内側に、それぞれ折線を介して内側板、接続板、内妻板を重合させ、折込フラップを介して前記の前側板、後側板及び左右妻板を互いに係止せしめて箱の四側壁を全て２重壁とした。
（３）内側板及びこれと対向する接続板に、それぞれ前側板、後側板と連接する折線沿いにコの字型の切断線を形成して前後側板の上縁に凸片を設けることを特徴とする。
（４）底板には前側板との折線沿いに係止溝を開設し、内側板の先端には前記係止溝に対応する係止突起を突設して両者を係合することを特徴とする。
（５）商品保持部に商品固定用凹部又は穴を１又は複数設けたことを特徴とする。
【０００６】
【発明の実施の形態】
次に本発明の実施の形態を説明する。
本発明の箱に使用する紙としては、特に限定があるものではないが、廃棄処理並びにリサイクル処理の容易な段ボールまたは板紙を使用することが好ましい。
段ボールは、ＪＩＳ規格（Ｚ−０１０８）では、段の数により、Ａ段、Ｂ段、Ｃ段に分けられている。このほかに規格に定められていないが、Ｅ段が普及している。段の高さ（段高）については、規格ではないが、概ね、Ａ段では５ｍｍ、Ｂ段では３ｍｍ、Ｃ段では３．６ｍｍ、Ｅ段では１．２ｍｍ程度である。ここで段高とは波形中芯の段の高さを言うもので、Ｅ段は厚手の板紙と同様な用途があり、たとえばギフト用の箱などに使用されている。近年、Ｅ段よりさらに段数の多く、かつ段高が０．４〜１．０ｍｍと低い段ボールが開発使用されるようになり、Ｆ段、Ｇ段、Ｎ段、ミニ段ボール、マイクロフルート段ボールなどと呼ばれている。マイクロフルート段ボールとは、いわゆるＥ段よりも段高が低く、かつ段の山数の多い段ボールシートである。具体的には３０ｃｍあたりの段の山数が９０以上、好ましくは１２０〜２００で、かつ段高が１ｍｍ以下、好ましくは０．３〜０．６ｍｍである。
【０００７】
本発明の箱に使用する板紙は、米坪２００〜７００ｇ／ｍ２程度のものが対象となり、板紙としては単層でも多層でもかまわず、抄紙方法にも特に制限はなく、板紙の抄造方法は、中性紙法でも酸性紙法でも良い。これを抄造するパルプも、化学パルプ、機械パルプ、古紙パルプ、合成パルプなどから選択できる。また、必要に応じて内添サイズ剤、定着剤、紙力増強剤、濾水歩留まり向上剤、内添填料、染料消泡剤、スライムコントロール剤、などを使用してよい。
【０００８】
以下、本発明ディスプレイ兼用包装箱の実施形態を図面について説明する。
図１は、本発明の箱を製函する前のブランクシートの平面図である。
符号１はブランクシートの略中央部に区画形成した矩形状の底板、２は底板１の対向した短側辺に折線を介して連設した左右妻板、３はさらにその外側に折線を介して連設する内妻板で、左右の妻板と略同形同大である。４はその内妻板の両側縁に折線を介して連設した折込フラップである。
【０００９】
５ａ、５ｂは前記底板の対向した長側辺に折線を介して連設した前後側板、６は前後側板５ａ、５ｂの両側縁に折線を介して設けた折込フラップである。７は前側板５ａの外側に折線を介して連設する内側板であり、前側板と略同形同大である。前側板５ａと内側板７の間には、組み立て後に前側板の上縁に凸片が形成される方向で、コの字型の切断線１６を設け、切断線の基部をつなぐように折線１７ａと１７ｂを設け、前側板５ａの上端に積重ね用の凸片１８を形成する。
また、前側板７の先端部に左右一対の係止突起８、８を設けると共に、底板１には前側板５ａとの折線に沿って前記係止突起８に対応した一対の係止溝９、９を形成する。
【００１０】
１０は後側板５ｂの外側に折線を介して連設する接続板である。この接続板には後側板５ｂとの間に、組み立て後に後側板の上縁に凸片が形成される方向で、コの字型の切断線１６を設け、切断線の基部をつなぐように折線１７ａと１７ｂを設け、後側板５ｂの上端に積重ね用の凸片１８を形成する。
前記接続板１０の外側に折線を介して中底板１１を連設している。１２、１３は中底板１１の３辺に折線を介して設けた支持脚である。支持脚１２、１３は角部を面取りすることで組み立て時に引っかかることを防止する。中底板１１は底板１とほぼ同じ大きさとし、接続板１０の高さＨ２を前後側板５ｂの高さＨ１よりも低く設定している。
【００１１】
一方、中底板１１の３辺に折線を介して設けた支持脚は何れも同じ高さＨ３に設定するが、接続板１０を内側に折り曲げて後側板５ｂに重ねたとき、支持脚１２，１３の下端が底板１に接するように設定する。すなわち、Ｈ１＝Ｈ２＋Ｈ３の関係になる。
【００１２】
中底板１１には商品保持部を設けるもので、この実施例では多数の商品固定用の凹部または穴１４を設けている。また、凹部または穴１４の周囲には扇状の緩衝フラップ１５が付設されている。なお、商品保持部は本実施例のように、穴あきのシートである必要はなく、後述のように緩衝材料で形成した保持パッドを中底板の上に積層してもよい。
【００１３】
本発明の箱の組み立て及び使用方法を簡単に説明する。先ず、底板１に対して前後側板５ａ、５ｂを垂直に立ち上げ、その後、図２に示すように折込フラップ６を直角に折り曲げる。
【００１４】
次に、左右両妻板２を底板１に対して垂直に立ち上げ、内妻板３の両端に付設した折込フラップ４、４を外側に折り曲げ、次に妻板２と内妻板３とで折込フラップ６を挟むように箱の内側に折り曲げる。また、中底板１１の周縁の支持脚１２、１２、１３を直角に折り曲げる（図３参照）。そして前側板５ａに連設した内側板７を箱内側に折り曲げ、係止突起８を底板１の係止溝９に係合して固定する（図４参照）。
最後に、接続板１０を箱内側に折り曲げ、中底板１１を底板１と平行になるように内側に折り曲げて、支持脚１２、１２、１３は底板１に対してほぼ直立させると、中底板１１は周縁部を支持脚１２、１２、１３により支持されて上げ底状態となる。
【００１５】
内容物を出荷する時には、内容物が移動しないように、中底板１１の各穴１４の上に内容物を充填する。内容物を上から穴１４に挿入すると、緩衝フラップ１５は押し広げられる。緩衝フラップ１５は素材の有する復元力により挿入された内容物を保持し、輸送中に振動しても、振動を吸収する。また、箱の四周側面は二重構造となっていて、輸送中の振動や衝撃から箱内の物品を保護できる。
【００１６】
そして、保管時または店頭積重ね時には積重ね用の凸片１８を利用して荷崩れせぬように所定個数積上げ、テープ掛けなどして量販店などに出荷する。また、中底板の上に載せた青果物は、箱内にきれいに並ぶため、ＰＯＰ効果もあり、店頭販売時には、荷造りテープを解いて、そのまま並べて販売することができる。
図５は、組立てた箱を重ね合せた状態を示す斜視図である。図６は、上蓋を被せる状態を示す斜視図である。
【００１７】
なお図示省略したが、中底板の上に不織布シートや緩衝パッドを組み合わせることで防水性或いは緩衝性を発揮させ、含水性食品、傷つきやすい商品、転がり易い商品等を安定よく、また見栄えよく収納することが可能である。
【００１８】
【発明の効果】
以上説明したように本発明は、一枚の厚紙を折線で折り曲げて形成した２重側壁でかつ天面が開口した輸送箱の一方の側壁に、緩衝機能を有する中底板を一体に形成して、輸送中は内容物を箱底から浮かせることができるとともに、内容物同士が接触するのを防ぎ、外からの振動、衝撃から内容物を保護することが可能となる。また本発明は、店頭で陳列するときは、輸送用外箱を店頭で商品を露出できるディスプレイ箱としてそのまま陳列に供することができる。しかも、接着若しくはホッチキス止めによる固定手段によることなく、手組みで簡単に製函できる。
さらに、本発明の箱は、青果物や野菜類のみならず、輸送中の外からの振動やガタツキを嫌う陶器など広範囲の被包装物の輸送兼陳列箱として利用できる。耐圧性、堅牢性に優れている。
【図面の簡単な説明】
【図１】図１は、本発明の箱を製函する前のブランクシートの平面図である。
【図２】図１の箱の組み立て途中を示す斜視図である。
【図３】図２に続く箱の組立途中を示す斜視図である。
【図４】図３に続く箱の組み立て途中を示す斜視図である。
【図５】図５は、箱を重ね合せた状態を示す斜視図である。
【図６】図６は、上蓋を被せる状態を示す斜視図である。
【符号の説明】
１  底板
２  妻板
３  内妻板
４、６  折込フラップ
５ａ、５ｂ  前後側板
７  内側板
１０  接続板
８  係止片
９  係止溝
１１  中底板
１２、１３  支持脚
１４  穴
１５  緩衝フラップ
１６  コの字型の切断線
１７ａ、１７ｂ  折線
１８  凸片
【図１】
2005022661.tif 000003
【図２】
2005022661.tif 000004
【図３】
2005022661.tif 000005
【図４】
2005022661.tif 000006
【図５】
2005022661.tif 000007
【図６】
2005022661.tif 000008